(57)【要約】【課題】写真ファイルに映る被写体とは無関係の被写体名が写真ファイルに付与されるのを防止する。【解決手段】緯度・経度情報取得部２は、写真ファイルＦに付与された緯度・経度情報を取得し、カテゴリ情報取得部３は、写真ファイルＦに写っている被写体が属するカテゴリを示すカテゴリ情報を取得する。被写体情報検索部４は、取得した緯度・経度情報と被写体情報内の緯度・経度情報の合致度ならびに取得したカテゴリ情報と被写体情報内のカテゴリ情報の合致度を基に被写体情報記憶部１から被写体情報を検索し、当該被写体情報から被写体名を読み出す。被写体名付与部５は、読み出した被写体名を写真ファイルＦに付与する。【選択図】図１
2015219563.tif 000002
【特許請求の範囲】
【請求項１】
複数の被写体につき、当該被写体の被写体名、当該被写体の位置を示す緯度・経度情報、当該被写体が属するカテゴリを示すカテゴリ情報を含む被写体情報が記憶される被写体情報記憶部と、
撮影された写真ファイルに付与された緯度・経度情報を取得する緯度・経度情報取得部と、
前記写真ファイルに写っている被写体が属するカテゴリを示すカテゴリ情報を取得するカテゴリ情報取得部と、
前記取得した緯度・経度情報と前記被写体情報内の緯度・経度情報の合致度ならびに前記取得したカテゴリ情報と前記被写体情報内のカテゴリ情報の合致度を基に前記被写体情報記憶部から被写体情報を検索し、当該被写体情報から被写体名を読み出す被写体情報検索部と、
前記読み出した被写体名を前記写真ファイルに付与する被写体名付与部と
を備えることを特徴とする被写体名付与装置。
【請求項２】
前記被写体情報検索部は、
前記緯度・経度情報の合致度と該合致度について予め定めた重みの積と前記カテゴリ情報の合致度と該合致度について予め定めた重みの積の和を計算し、当該和の最大値に対応する被写体情報から被写体名を読み出す
ことを特徴とする請求項１記載の被写体名付与装置。
【請求項３】
前記被写体情報検索部は、前記被写体情報記憶部から２以上の被写体情報を検索した場合、当該被写体情報のそれぞれから被写体名を読み出し、
前記被写体名付与部は、当該被写体情報のそれぞれから読み出された被写体名を前記写真ファイルに付与する
ことを特徴とする請求項１または２記載の被写体名付与装置。
【請求項４】
前記被写体情報検索部は、前記被写体情報記憶部から２以上の被写体情報を検索した場合、当該被写体情報のそれぞれから被写体名を読み出し、
前記被写体名付与部は、当該被写体情報のそれぞれから読み出された被写体名をユーザに提示し、当該ユーザが選択した被写体名を前記写真ファイルに付与する
ことを特徴とする請求項１または２記載の被写体名付与装置。
【請求項５】
被写体名付与装置の動作方法であって、
前記被写体名付与装置は、
複数の被写体につき、当該被写体の被写体名、当該被写体の位置を示す緯度・経度情報、当該被写体が属するカテゴリを示すカテゴリ情報を含む被写体情報が記憶される被写体情報記憶部を備え、
前記動作方法は、
前記被写体名付与装置の緯度・経度情報取得部が、撮影された写真ファイルに付与された緯度・経度情報を取得し、
前記被写体名付与装置のカテゴリ情報取得部が、前記写真ファイルに写っている被写体が属するカテゴリを示すカテゴリ情報を取得し、
前記被写体名付与装置の被写体情報検索部が、前記取得した緯度・経度情報と前記被写体情報内の緯度・経度情報の合致度ならびに前記取得したカテゴリ情報と前記被写体情報内のカテゴリ情報の合致度を基に前記被写体情報記憶部から被写体情報を検索し、当該被写体情報から被写体名を読み出し、
前記被写体名付与装置の被写体名付与部が、前記読み出した被写体名を前記写真ファイルに付与する
ことを特徴とする被写体名付与装置の動作方法。
【請求項６】
前記被写体情報検索部は、
前記緯度・経度情報の合致度と該合致度について予め定めた重みの積と前記カテゴリ情報の合致度と該合致度について予め定めた重みの積の和を計算し、当該和の最大値に対応する被写体情報から被写体名を読み出す
ことを特徴とする請求項５記載の被写体名付与装置の動作方法。
【請求項７】
前記被写体情報検索部は、前記被写体情報記憶部から２以上の被写体情報を検索した場合、当該被写体情報のそれぞれから被写体名を読み出し、
前記被写体名付与部は、当該被写体情報のそれぞれから読み出された被写体名をユーザに提示し、当該ユーザが選択した被写体名を前記写真ファイルに付与する
ことを特徴とする請求項５または６記載の被写体名付与装置の動作方法。
【請求項８】
請求項１ないし４のいずれかに記載の被写体名付与装置としてコンピュータを機能させるためのコンピュータプログラム。
【発明の詳細な説明】
【技術分野】
【０００１】
本発明は、被写体名付与装置およびその動作方法に関するものである。
【背景技術】
【０００２】
従来の写真画像ファイル被写体情報付加装置では、被写体名に対応づけた緯度・経度情報と写真ファイルのジオタグに含まれる緯度・経度情報とで距離を算出し、距離の近い緯度・経度情報に対応づけた被写体名を検索し、写真ファイルに映っている被写体の被写体名として付与する。
【先行技術文献】
【特許文献】
【０００３】
【特許文献１】特開２０１１−０９５８６７号公報
【特許文献２】特開２００７−５２８４６８号公報
【発明の概要】
【発明が解決しようとする課題】
【０００４】
しかし、検索した被写体名の被写体が必ずしも写真ファイルに写っているとは限らず、無関係の被写体名が付与される場合がある。
【０００５】
本発明は、上記の課題に鑑みてなされたものであり、その目的とするところは、写真ファイルに映る被写体とは無関係の被写体名が写真ファイルに付与されるのを防止できる被写体名付与装置およびその動作方法を提供することにある。
【課題を解決するための手段】
【０００６】
上記の課題を解決するために、第１の本発明に係る被写体名付与装置は、複数の被写体につき、当該被写体の被写体名、当該被写体の位置を示す緯度・経度情報、当該被写体が属するカテゴリを示すカテゴリ情報を含む被写体情報が記憶される被写体情報記憶部と、撮影された写真ファイルに付与された緯度・経度情報を取得する緯度・経度情報取得部と、前記写真ファイルに写っている被写体が属するカテゴリを示すカテゴリ情報を取得するカテゴリ情報取得部と、前記取得した緯度・経度情報と前記被写体情報内の緯度・経度情報の合致度ならびに前記取得したカテゴリ情報と前記被写体情報内のカテゴリ情報の合致度を基に前記被写体情報記憶部から被写体情報を検索し、当該被写体情報から被写体名を読み出す被写体情報検索部と、前記読み出した被写体名を前記写真ファイルに付与する被写体名付与部とを備えることを特徴とする。
【０００７】
第２の本発明は、被写体名付与装置の動作方法であって、前記被写体名付与装置は、複数の被写体につき、当該被写体の被写体名、当該被写体の位置を示す緯度・経度情報、当該被写体が属するカテゴリを示すカテゴリ情報を含む被写体情報が記憶される被写体情報記憶部を備え、前記動作方法は、前記被写体名付与装置の緯度・経度情報取得部が、撮影された写真ファイルに付与された緯度・経度情報を取得し、前記被写体名付与装置のカテゴリ情報取得部が、前記写真ファイルに写っている被写体が属するカテゴリを示すカテゴリ情報を取得し、前記被写体名付与装置の被写体情報検索部が、前記取得した緯度・経度情報と前記被写体情報内の緯度・経度情報の合致度ならびに前記取得したカテゴリ情報と前記被写体情報内のカテゴリ情報の合致度を基に前記被写体情報記憶部から被写体情報を検索し、当該被写体情報から被写体名を読み出し、前記被写体名付与装置の被写体名付与部が、前記読み出した被写体名を前記写真ファイルに付与することを特徴とする。
【発明の効果】
【０００８】
本発明によれば、写真ファイルに写っている被写体が属するカテゴリを示すカテゴリ情報を取得し、取得した緯度・経度情報と被写体情報内の緯度・経度情報の合致度ならびに取得したカテゴリ情報と被写体情報内のカテゴリ情報の合致度を基に被写体情報記憶部から被写体情報を検索し、当該被写体情報から被写体名を読み出し、写真ファイルに付与するので、つまり、被写体のカテゴリを利用するので、写真ファイルに映る被写体とは無関係の被写体名が写真ファイルに付与されるのを防止でき、正しい被写体名を写真ファイルに付与することができる。
【図面の簡単な説明】
【０００９】
【図１】本実施の形態に係る被写体名付与装置のブロック図である。
【図２】被写体情報記憶部１の一例を示す図である。
【図３】被写体名付与装置の動作を示すフローチャートである。
【発明を実施するための形態】
【００１０】
以下、本発明の実施の形態について図面を参照して説明する。
【００１１】
図１は、本実施の形態に係る被写体名付与装置のブロック図である。
【００１２】
被写体名付与装置は、複数の被写体につき、被写体の被写体名、被写体の位置を示す緯度・経度情報、被写体が属するカテゴリを示すカテゴリ情報を含む被写体情報が記憶される被写体情報記憶部１と、撮影された写真ファイルＦに付与された緯度・経度情報を取得する緯度・経度情報取得部２と、写真ファイルＦに写っている被写体が属するカテゴリを示すカテゴリ情報を取得するカテゴリ情報取得部３と、取得した緯度・経度情報と被写体情報内の緯度・経度情報の合致度ならびに取得したカテゴリ情報と被写体情報内のカテゴリ情報の合致度を基に被写体情報記憶部１から被写体情報を検索し、当該被写体情報から被写体名を読み出す被写体情報検索部４と、読み出した被写体名を写真ファイルＦに付与する被写体名付与部５とを備える。
【００１３】
図２は、被写体情報記憶部１の一例を示す図である。
【００１４】
被写体情報記憶部１は、例えば、被写体名「○○食堂」、緯度・経度情報「３６．５８（緯度）、１３８．８３（経度）」、カテゴリ情報「料理、店内、メニュー書き、…」を含む被写体情報、被写体名「○○動物園」、緯度・経度情報「３６．６３（緯度）、１３８．７３（経度）」、カテゴリ情報「象、パンダ、記念撮影台、…」を含む被写体情報、…を記憶している。被写体情報記憶部１は、予め管理者などが作製したものである。なお、被写体名は、被写体を示す識別子でもよい。
【００１５】
図３は、被写体名付与装置の動作を示すフローチャートである。
【００１６】
（Ｓ１）まず、緯度・経度情報取得部２が、写真ファイルＦに付与された緯度・経度情報を取得し、カテゴリ情報取得部３が、写真ファイルＦを解析し、写真ファイルＦに写っている被写体が属するカテゴリを示すカテゴリ情報を取得する。
【００１７】
写真ファイルＦが、例えば、ある食堂内で撮影したカレーライスの写真ファイルであれば、カテゴリ情報「料理」が取得される。この分類には、例えば「特許4703487号公報、画像分類方法及び装置及びプログラム(日本電信電話株式会社)」のような手法が利用できる。
【００１８】
（Ｓ２）次に、被写体情報検索部４が、ステップＳ１で取得した緯度・経度情報と被写体情報内の緯度・経度情報の合致度ならびにステップＳ１で取得したカテゴリ情報と被写体情報内のカテゴリ情報の合致度を基に被写体情報記憶部１から被写体情報を検索し、当該被写体情報から被写体名を読み出す。
【００１９】
ステップＳ２で被写体情報検索部４は、例えば、被写体情報記憶部１の各被写体情報について、次式の値を計算し、
【００２０】
【数１】
2015219563.tif 000003
値の最大値に対応する被写体情報から被写体名を読み出す。
【００２１】
ここで、Ａは、緯度・経度情報の合致度であり、αは、緯度・経度情報の合致度について予め定めた重みであり、例えば、１である。緯度・経度情報の合致度は、一方の緯度・経度情報の位置と他方の緯度・経度情報の位置の距離である。αは例えば、写真ファイルＦのユーザに指定させてもよい。
【００２２】
Ｂは、カテゴリ情報の合致度であり、βは、カテゴリ情報の合致度について予め定めた重みであり、例えば、２である。カテゴリ情報の合致度は、例えば、両カテゴリ情報に含まれる共通語の数などである。βは例えば、写真ファイルＦのユーザに指定させてもよい。
【００２３】
つまり、被写体情報検索部４は、緯度・経度情報の合致度と該合致度について予め定めた重みの積とカテゴリ情報の合致度と該合致度について予め定めた重みの積の和を計算し、当該和の最大値に対応する被写体情報から被写体名を読み出す。
【００２４】
（Ｓ３）次に、被写体名付与部５が、読み出した被写体名を写真ファイルＦに付与し、被写体名を付与した写真ファイルＦ１を出力し、処理を終える。
【００２５】
ユーザは、写真ファイルＦ１に付与された被写体名を見て撮影場所などを思い出すことができる。
【００２６】
以上のように、本実施の形態に係る被写体名付与装置によれば、写真ファイルに写っている被写体が属するカテゴリを示すカテゴリ情報を取得し、取得した緯度・経度情報と被写体情報内の緯度・経度情報の合致度ならびに取得したカテゴリ情報と被写体情報内のカテゴリ情報の合致度を基に被写体情報記憶部から被写体情報を検索し、当該被写体情報から被写体名を読み出し、写真ファイルに付与するので、つまり、被写体のカテゴリを利用するので、写真ファイルに映る被写体とは無関係の被写体名が写真ファイルに付与されるのを防止でき、正しい被写体名を写真ファイルに付与することができる。
【００２７】
なお、ステップＳ２で検索される被写体情報の数は１に限らず２以上でもよい。この場合、被写体情報検索部４は、２以上の被写体情報のそれぞれから被写体名を読み出す。被写体名付与部５は、これら２以上の被写体名を写真ファイルＦに付与する。または、被写体名付与部５は、これら被写体名をユーザに提示し、ユーザが選択した被写体名を写真ファイルＦに付与してもよい。
【００２８】
また、写真ファイルＦに被写体名を付与した後、撮影時刻が近接している写真ファイルＦの一群を抽出し、付与された被写体名の補正を行ってもよい。この手法としては、例えば「特開２００６−２９３９９６号公報、 画像メタデータおよび空間情報に基づく判断基準を使用した自動デジタル画像グルーピング(マイクロソフト)」を利用することができる。
【００２９】
また、本実施の形態の被写体名付与装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００３０】
１  被写体情報記憶部
２  緯度・経度情報取得部
３  カテゴリ情報取得部
４  被写体情報検索部
５  被写体名付与部
【図１】
2015219563.tif 000004
【図２】
2015219563.tif 000005
【図３】
2015219563.tif 000006